(57)【特許請求の範囲】
【請求項１】
防火区画部位上方の天井部に一の巻取シャフトを長さ方向に所定間隔を存して複数配設し、隣合う一の巻取シャフトの近接する端部間に亘って他の巻取シャフトを対向させて配設し、耐火シ−トの一端を他の巻取シャフトに連結すると共に他端を天井部まぐさ部位に装着し、常時は一の巻取シャフトに巻装されたシャッタ−カ−テンはその下端部が他の巻取シャフトに巻装された耐火シ−トの上方に臨んだ状態で天井部に収納されており、シャッタ−カ−テンの降下に連動してシャッタ−カ−テンの重みで耐火シ−トが降下し、降下したシャッタ−カ−テンの近接する端部間に亘って耐火シ−トが前後から重合し、シャッタ−カ−テンと耐火シ−トが一体として火災側と非火災側とを区画するようにしたことを特徴とする連装式防火シャッタ−。
【発明の詳細な説明】
【０００１】
【発明の属する技術分野】
本発明は、大開口に設置することができる連装式防火シャッタ−に関するものである。
【０００２】
【従来の技術】
近年、空間の有効利用を図るため建物の柱間隔を大きくしたものがあるが、一連のシャッタ−で区画できる幅には限界があり、かかる大空間の防災区画においては、複数のシャッタ−を連設しなければ対応できない場合がある。一方、防火シャッタ−としての役割をまっとうするためには、火災区画と非火災区画とを遮蔽することが必要であり、通常、シャッタ−を連設する場合には、隣合うシャッタ−カ−テンの端部を受け入れるための中柱を設ける必要があると考えられている。
【０００３】
ところが、防火シャッタ−は常時は、開口上方に格納されており、火災報知器による検知に連動して降下するように構成されているが、中柱を火災報知器に連動させて可動させることは困難であった。したがって、連装式の防火シャッタ−は実用化されていないのが実情である。
【０００４】
一方、屋内用の防火シャッタ−のシャッタ−カ−テンの内外にかかる圧力差はせいぜい１ｋｇ／ｍ２のオ−ダ−であり、防火シャッタ−のシャッタ−カ−テン（特にスチ−ル製のもの）の座板はかなりの重量を持つので、この程度の圧力差では、シャッタ−カ−テンの前後方向の変形量は小さいものと考えられ、中柱を設けなくてもシャッタ−カ−テンに作用する面圧に耐え得るものと考えられる。
【０００５】
したがって、火災区画と非火災区画との間に防火上有害な直線的な貫通孔を作らないようにさえすれば、必ずしも連設したシャッタ−カ−テンの端部を固定中柱で強度負担する必要がないものと考えられる。
【０００６】
【発明が解決しようとする課題】
本発明は、かかる考えに立脚して創案されたものであって、複数のシャッタ−を連設して火災区画と非火災区画とを区画するものでありながら、火災区画と非火災区画の間に防火上有害な貫通孔を生じさせず、もって、屋内の大空間を仕切ることができるようにする連装式防火シャッタ−を提供することを目的とするものである。
【０００７】
【課題を解決するための手段】
上記課題を解決するために本発明が採用した技術手段は、防火区画部位上方の天井部に一の巻取シャフトを長さ方向に所定間隔を存して複数配設し、隣合う一の巻取シャフトの近接する端部間に亘って他の巻取シャフトを対向させて配設し、耐火シ−トの一端を他の巻取シャフトに連結すると共に他端を天井部まぐさ部位に装着し、常時は一の巻取シャフトに巻装されたシャッタ−カ−テンはその下端部が他の巻取シャフトに巻装された耐火シ−トの上方に臨んだ状態で天井部に収納されており、シャッタ−カ−テンの降下に連動してシャッタ−カ−テンの重みで耐火シ−トが降下し、降下したシャッタ−カ−テンの近接する端部間に亘って耐火シ−トが前後から重合し、シャッタ−カ−テンと耐火シ−トが一体として火災側と非火災側とを区画するようにしたことを特徴とするものである。
【０００８】
【発明の実施の形態】
図１（ａ）は、本発明に係る連装式防火シャッタ−の概略正面図及びシャッタ−カ−テンと耐火シ−トの重合の状態を示す概略平面図であって、二つのシャッタ−カ−テン１、１が所定の隙間２を存して幅方向に並設してある。天井部には長さ方向に並設された巻取シャフト３、３が設けてあり、シャッタ−カ−テン１、１は、常時には巻取シャフト３、３に巻回されており、火災報知機等の検知に連動して降下するようになっている。
【０００９】
降下時においてシャッタ−カ−テン１、１間には隙間２が生じるが、シャッタ−カ−テン１、１の近接する端部間に亘って前後から耐火シ−ト４、４が重合するようになっており、耐火シ−ト４が前後両側から隙間２を閉塞するようにしている。シャッタ−カ−テン１と耐火シ−ト４とは所定幅を有するオ−バ−ラップ部５を形成しており、シャッタ−カ−テン全体に面圧が作用しても、火災側と非火災側とで貫通孔が生じることがないようにしている。
【００１０】
耐火シ−ト４は常時は耐火シ−トの巻取シャフト６に巻回されている。巻取シャフト６は、シャッタ−カ−テンの巻取シャフト３、３の隣合う端部に亘って、両シャフト３、３に略並行して配設されているが、両シャフト３、３に対して所定寸法のオ−バ−ラップするような長さを有し、前述したようにシャッタ−カ−テン１とシ−ト４との間にオ−バ−ラップを大きく取れるようにしてある。
【００１１】
図１（ｃ）に示すように、耐火シ−ト４は一端を巻取シャフト６に固着すると共に、他端をシャッタ−カ−テンの巻取シャフト３の下方に位置するまぐさ部に固定してあり、常時は図示しないスプリング等で巻取方向に付勢されて巻き取られている。常時の収納状態において、シャッタ−カ−テン１の下端部の座板７がシ−ト４の上に位置あるいは載置するようになっており、シャッタ−カ−テン１の降下に伴って、シャッタ−カ−テン１の重みでシ−ト４が降下するようになっている。
【００１２】
もっとも、シ−トの巻取シャフト６を配設する位置は図示したものに限定されるものではなく、図１（ｄ）のように配置してもよい。要は、シャッタ−カ−テン１の降下に連動してシ−ト４が降下して、シ−ト４がシャッタ−カ−テン１、１の近接する端部間に亘って前後から重合するようになればよい。
【００１３】
図１（ｂ）はシャッタ−カ−テン１とシ−ト４とが重合した時の下端部位を示す概略正面図及び概略側面図である。シャッタ−カ−テンの座板７のシ−トに近接する部位にはロ−ラ８の軸を受け入れる軸受７ａが設けてあり、軸受７ａはばね７ｂを介して上下動できるように装着されている。図では一方のみを示しているが、軸受は他方のシャッタ−カ−テン１の座板７にも設けてあり、ロ−ラ８を両側から回転自在に支持するようになっている。
【００１４】
シャッタ−カ−テン１の降下時に、シャッタ−カ−テン下端部位に設けたロ−ラ８がシ−ト４上を摺動するので、シャッタ−カ−テン１と耐火シ−ト４との摩擦が可及的に減却され、シ−ト４の巻き出しがスム−ズに行われる。ロ−ラ８はばね７ｂを介して両側から弾持されているので、開口部全閉時には、座板７とロ−ラ８の下端が水平に揃って、下部に隙間が生じないようになっている。尚、図中、９はダクトであって、本発明によれば、従来ダクトが邪魔になって防火シャッタ−を設置できなかったような部位にも設置することが可能となる。
【００１５】
本発明は二枚のシャッタ−カ−テンを連装するのに留まるものではなく、複数のシャッタ−カ−テンを連装することで大開口に対応することができる。図２は、三連の防火シャッタ−の平面図であって、三つのシャッタ−カ−テン１、１、１を所定の隙間を存して幅方向に並設したものを示している。シャッタ−カ−テン１は、常時は長さ方向に連設した三つの巻取シャフト３、３、３にそれぞれ巻回されている。巻取シャフト３は駆動軸を介して連結されており、いずれかの巻取シャフトを駆動させることで全体を回転させるようになっている。もっとも、それぞれの巻取シャフトを別個に駆動させてもよい。
【００１６】
隣合う巻取シャフト３、３端部に略並行して耐火シ−トの巻取シャフト６、６が配設してあり、シャッタ−カ−テン１の降下に連動してシ−ト４が巻き出され、降下時には、シャッタ−カ−テン１の近接する端部間に亘って前後から重合して隙間を前後両側から覆うようになっている。
【００１７】
まぐさ部にはシャッタ−カ−テン１の両端部に位置してロ−ラ１０が設けてあり、シャッタ−カ−テン１を構成するスラットのずれを防止している。また、耐火シ−トの巻取シャフトの下方に位置させてシ−トのずれ防止部材を設けてもよい。
【００１８】
火災側と非火災側を区画する場合において、シャッタ−カ−テン１とシ−ト４との間には隙間がないのが好ましく、防火シャッタ−のシャッタ−カ−テン１がスチ−ル製の部材から構成されるような場合には、シ−ト４の所望部位に磁石１１を設け、あるいは内蔵させ、降下後にシ−ト４とシャッタ−カ−テン１とが磁着して隙間が生じないようにするのがよい。もっとも、磁石の磁力はシャッタ−カ−テンの降下に伴うシ−トの降下を妨げないような強さのものが好適に選択される。
【００１９】
左右両端に位置するシャッタ−カ−テン１の端部の所望部位（適宜位置のスラット）には耐風フックが１２設けてあり、開口部左右両側に立設した図示しないガイドレ−ル溝に係止するようになっている。三つのシャッタ−カ−テン１及び二つのシ−ト４が一体として大開口を区画するようになっており、面圧を受けた場合にはシャッタ−カ−テン１とシ−ト４が一体となって全体として撓むようになっている。シャッタ−カ−テン１とスラット４とは三重構造を有すると共に、所望寸法のオ−バ−ラップ部５を有して重合されているので、少々シャッタ−カ−テン１やシ−ト４が変形しても、火災側と非火災側とに防火上不利な直線的な貫通孔が生じることはない。屋内に設置される場合には、シャッタ−カ−テン１及び座板７の重量により、全体として受ける面圧に十分に対抗できるものと考えられる。また、消防のため火災側に進入したい場合には、隣接するシャッタ−カ−テンの間から進入することができ、シャッタ−カ−テン自体を切断する必要はない。
【００２０】
図３は、シ−ト４下方部位に設けた閉塞部材１３を示すものであって、シ−ト４を一種の中柱と考えた場合に、かかる中柱の底板の役割を有する。閉塞部材１３には所定温度でＶ字状に拡開する形状記憶合金ばね部材１４が装着されており、巻取時等の常時は畳込まれており、降下後に周囲が所定温度に達すると、ばね材１４が起き上がって、シ−ト４、４間に生じた空間を塞ぐようになっている。
【００２１】
【発明の効果】
本発明は、防火区画部位上方の天井部に一の巻取シャフトを長さ方向に所定間隔を存して複数配設し、隣合う一の巻取シャフトの近接する端部間に亘って他の巻取シャフトを対向させて配設し、耐火シ−トの一端を他の巻取シャフトに連結すると共に他端を天井部まぐさ部位に装着し、常時は一の巻取シャフトに巻装されたシャッタ−カ−テンはその下端部が他の巻取シャフトに巻装された耐火シ−トの上方に臨んだ状態で天井部に収納されており、シャッタ−カ−テンの降下に連動してシャッタ−カ−テンの重みで耐火シ−トが降下し、降下したシャッタ−カ−テンの近接する端部間に亘って耐火シ−トが前後から重合し、シャッタ−カ−テンと耐火シ−トが一体として火災側と非火災側とを区画するようにしたことを特徴とするので、防火シャッタ−を連装するものでありながら、全体の納まりもよく、従来は設置できなかった大開口に対応することができる。また、本発明によれば、シャッタ−カ−テンがスチ−ルスラットから構成されるような場合において、近接するシャッタ−カ−テンの隙間から消防が侵入することができるので、従来のように消防の侵入に際してスチ−ルスラットを切断する必要がない。
【図面の簡単な説明】
【図１】（ａ）は連装式防火シャッタ−の概略正面図（シャッタ−カ−テン、シ−ト、巻取シャフトのみ示す）及びシャッタ−カ−テンとシ−トとの重合状態を示す概略平面図、（ｂ）はシャッタ−カ−テンとシ−トとの重合部の下方部位の概略正面図及び概略側面図、（ｃ）は連装式防火シャッタ−の概略側面図、（ｄ）はシ−トの巻取シャフトの配置位置の他の実施例を示す概略側面図である。
【図２】三連式防火シャッタ−の概略平面図である。
【図３】シ−トに設けられた閉塞部材を示す平面図である。
【符号の説明】
１    シャッタ−カ−テン
２    隙間
３    シャッタ−カ−テンの巻取シャフト
４    耐火シ−ト
５    オ−バ−ラップ部
６    シ−トの巻取シャフト
【図１】
0003574956.tif 000002
【図２】
0003574956.tif 000003
【図３】
0003574956.tif 000004